(57)【要約】【課題】トランジスターやキャパシタ、ダイオードの数を削減してプラズマ表示装置の価格を低減することのできるプラズマ表示装置を提供する。【解決手段】本発明のプラズマ表示装置は、走査集積回路４３１の出力端に複数の走査電極（Ｃｐ）が連結され、走査集積回路４３１の第１入力端にＶｓｃＨ電圧が供給され、第２入力端にトランジスター（Ｙｎｐ）のソースが連結されている。トランジスター（Ｙｎｐ）のゲートにゲートドライバー４４０の出力端を連結し、維持期間にはキャパシタＣ１の第１端の電圧を用いてトランジスター（Ｙｎｐ）を導通して維持放電パルスを走査電極（Ｃｐ）に供給する。【選択図】図３
2007264632.tif 000002
【特許請求の範囲】
【請求項１】
複数の第１電極と、
第１入力端及び第２入力端を備え、複数の出力端が前記複数の第１電極にそれぞれ連結されており、アドレス期間中に前記第２入力端の電圧を前記複数の第１電極の中の対応する第１電極に選択的に印加する走査集積回路と、
前記第２入力端に連結されている第１トランジスターと、
前記第１トランジスターのゲートに連結された出力端と、第１電圧を供給する第１電源に連結された第１ノードと、前記第１トランジスターのソース及び前記第２入力端に連結された第２ノードとを備えているゲートドライバーと、
前記第１ノードに第１端が連結され、前記第２入力端に第２端が連結されている第１キャパシタと、
前記第１電源に入力端が連結され、前記走査集積回路に出力端が連結され、第２電圧を出力するレギュレーターと、
前記レギュレーターの出力端と前記第２入力端との間に連結されている第２キャパシタと
を含むことを特徴とするプラズマ表示装置。
【請求項２】
前記走査集積回路の第２入力端と前記アドレス期間において点灯するセルに印加される走査電圧を供給する第２電源との間に連結され、導通された時には前記第１キャパシタを充電する充電経路を形成する第２トランジスタをさらに含むことを特徴とする請求項１に記載のプラズマ表示装置。
【請求項３】
前記レギュレーターは、前記入力端から入力された電圧を前記第２電圧に変更し、前記第２キャパシタを前記第２電圧で充電することを特徴とする請求項１または請求項２に記載のプラズマ表示装置。
【請求項４】
前記第１キャパシタを充電する充電経路には、前記第１電源にアノードが連結され、前記第１キャパシタの第１端にカソードが連結されているダイオードが含まれていることを特徴とする請求項２または請求項３に記載のプラズマ表示装置。
【請求項５】
前記第２電圧は、前記走査集積回路の駆動電圧として供給されることを特徴とする請求項１乃至４のいずれか１項に記載のプラズマ表示装置。
【請求項６】
前記走査電圧は、リセット期間における最低電圧よりも低いことを特徴とする請求項２乃至５のいずれか１項に記載のプラズマ表示装置。
【請求項７】
複数の走査電極を含むプラズマ表示装置の駆動装置において、
第１トランジスターと、
第１電圧を供給する第１電源に第１ノードが連結され、前記第１トランジスターのソースに第２ノードが連結され、前記第１ノード及び前記第２ノードの電圧を選択して前記第１トランジスターのゲートに出力するゲートドライバーと、
前記第１ノードに第１端が連結され、前記第２ノードに第２端が連結されている第１キャパシタと、
前記第１電圧に対応する電圧で駆動され、複数の出力端が複数の走査電極にそれぞれ連結されており、前記第１トランジスターのソースに連結されている共通入力端の電圧を前記複数の出力端に選択的に出力する複数の走査回路と
を含むことを特徴とするプラズマ表示装置の駆動装置。
【請求項８】
前記共通入力端は前記第１キャパシタの第２端に連結されており、前記第１電圧をそれより低い第２電圧に変更して前記複数の走査回路に供給するレギュレーターをさらに含むことを特徴とする請求項７に記載のプラズマ表示装置の駆動装置。
【請求項９】
前記レギュレーターの出力端と前記複数の走査回路の共通入力端との間に連結され、前記第２電圧で充電される第２キャパシタをさらに含むことを特徴とする請求項８に記載のプラズマ表示装置の駆動装置。
【請求項１０】
第３電圧を供給する第２電源と前記複数の走査回路の共通入力端との間に連結されている第２トランジスターをさらに含み、
前記第１キャパシタは、前記第２トランジスターが導通する時に充電されることを特徴とする請求項７乃至９のいずれか１項に記載のプラズマ表示装置の駆動装置。
【請求項１１】
前記第１電源と前記第２電源との間に連結されている第３キャパシタをさらに含むことを特徴とする請求項１０に記載のプラズマ表示装置の駆動装置。
【請求項１２】
前記第３電圧はアドレス期間において点灯するセルに印加される走査電圧であり、リセット期間における最低電圧よりも低いことを特徴とする請求項１０または請求項１１に記載のプラズマ表示装置の駆動装置。
【請求項１３】
複数の第１電極及び前記複数の第１電極に連結されている走査集積回路を含むプラズマ表示装置の駆動方法において、
前記走査集積回路の基準電源に第１端が連結されているキャパシタを第１電圧で充電する段階と、
アドレス期間中に前記第１電圧を変更した第２電圧で前記走査集積回路を駆動する段階と、
維持期間中に前記キャパシタの第２端の電圧を用いて、前記基準電源にソースが連結されているトランジスターを導通する段階と
を含むことを特徴とするプラズマ表示装置の駆動方法。
【請求項１４】
前記走査集積回路を駆動する段階では、前記第１電圧をそれより低い前記第２電圧に変更することを特徴とする請求項１３に記載のプラズマ表示装置の駆動方法。
【請求項１５】
前記トランジスターのドレインは、前記維持期間に前記複数の第１電極に維持放電パルスを供給する維持駆動部に連結されていることを特徴とする請求項１３または請求項１４に記載のプラズマ表示装置の駆動方法。
【発明の詳細な説明】
【技術分野】
【０００１】
本発明はプラズマ表示装置に係り、特にトランジスターやキャパシタ、ダイオードの数を削減して回路素子の単価を低減する走査電極の駆動装置に関するものである。
【背景技術】
【０００２】
プラズマ表示装置は、気体放電によって生成されたプラズマを利用して文字または映像を表示するプラズマ表示パネルを利用した表示装置である。このようなプラズマ表示パネルには複数の放電セルがマトリックス状に配列されている。
【０００３】
プラズマ表示装置は、それぞれ加重値を有する複数のサブフィールドに分割されて駆動されている。各サブフィールドのアドレス期間には、複数の走査電極に順次走査パルスが印加され、点灯するセルと点灯しないセルが選択され、維持期間には、維持放電を遂行する電極に維持放電パルスのハイレベル電圧とローレベル電圧が交互に印加され、実際に映像を表示するために点灯するセルが維持放電を行う。
【０００４】
このようなプラズマ表示装置には、複数の走査電極に順次走査パルスを印加するために、走査集積回路（ＩＣ）が各走査電極に連結されており、走査集積回路のグラウンドと走査パルスの電圧を供給する電源との間にトランジスターが連結されている。
【０００５】
さらに、プラズマ表示装置には、走査集積回路のグラウンドと走査パルスの電圧を供給する電源との間に連結されているトランジスターが導通する時に、維持放電パルスのローレベル電圧が供給される電源に連結されたトランジスターのボディダイオードを通じて、維持放電パルスのローレベル電圧を供給する電源から走査パルスの電圧を供給する電源へ向かう電流経路を遮断するためのトランジスターも形成されている。
【０００６】
そして、従来のプラズマ表示装置では、このようなトランジスター及び走査集積回路を駆動するための電圧を供給するために、それぞれブートストラップ（Ｂｏｏｔｓｔｒａｐ）方式を用いているが、このブートストラップ方式ではブートストラップキャパシタが必要となるために、プラズマ表示装置の回路単価が増加してしまう問題があった。
【発明の開示】
【発明が解決しようとする課題】
【０００７】
本発明は上記問題を解決するためになされたものであり、その目的はプラズマ表示装置において回路素子の単価を低減することのできるプラズマ表示装置を提供することにある。
【課題を解決するための手段】
【０００８】
本発明の一つの特徴によれば、プラズマ表示装置が提供される。このプラズマ表示装置は、複数の第１電極と、第１入力端及び第２入力端を備え、複数の出力端が前記複数の第１電極にそれぞれ連結されており、アドレス期間中に前記第２入力端の電圧を前記複数の第１電極の中の対応する第１電極に選択的に印加する走査集積回路と、前記第２入力端に連結されている第１トランジスターと、前記第１トランジスターのゲートに連結された出力端と、第１電圧を供給する第１電源に連結された第１ノードと、前記第１トランジスターのソース及び前記第２入力端に連結された第２ノードとを備えているゲートドライバーと、前記第１ノードに第１端が連結され、前記第２入力端に第２端が連結されている第１キャパシタと、前記第１電源に入力端が連結され、前記走査集積回路に出力端が連結され、第２電圧を出力するレギュレーターと、前記レギュレーターの出力端と前記第２入力端との間に連結されている第２キャパシタとを含むことを特徴とする。
【０００９】
本発明の他の特徴によれば、複数の走査電極を含むプラズマ表示装置の駆動装置が提供される。この駆動装置は、第１トランジスターと、第１電圧を供給する第１電源に第１ノードが連結され、前記第１トランジスターのソースに第２ノードが連結され、前記第１ノード及び前記第２ノードの電圧を選択して前記第１トランジスターのゲートに出力するゲートドライバーと、前記第１ノードに第１端が連結され、前記第２ノードに第２端が連結されている第１キャパシタと、前記第１電圧に対応する電圧で駆動され、複数の出力端が複数の走査電極にそれぞれ連結されており、前記第１トランジスターのソースに連結されている共通入力端の電圧を前記複数の出力端に選択的に出力する複数の走査回路とを含むことを特徴とする。
【００１０】
本発明のまた他の特徴によれば、複数の第１電極及び前記複数の第１電極に連結されている走査集積回路を含むプラズマ表示装置の駆動方法が提供される。この駆動方法は、前記走査集積回路の基準電源に第１端が連結されているキャパシタを第１電圧で充電する段階と、アドレス期間中に前記第１電圧を変更した第２電圧で前記走査集積回路を駆動する段階と、維持期間中に前記キャパシタの第２端の電圧を用いて、前記基準電源にソースが連結されているトランジスターを導通する段階とを含むことを特徴とする。
【発明の効果】
【００１１】
本発明によれば、トランジスターと、走査回路に駆動電源を供給するために必要なキャパシタ及びダイオードの数を削減することができる。これによりプラズマ表示装置の単価を低減する効果を有する。
【発明を実施するための最良の形態】
【００１２】
以下、本発明の実施形態について、図面を参照しながら本発明が属する技術分野における通常の知識を有する者が容易に実施できるように詳しく説明する。しかし、本発明は様々な相異した形態で実施することができ、ここで説明する実施形態に限定されるわけではない。そして、図面において、本発明を明確に説明するために説明上不必要な部分は省略しており、明細書全体を通じて類似の部分については同一の図面符号を付した。また、ある部分がある構成要素を"含む"と表現する場合に、これは特に反対の記載がない限り、他の構成要素を除くものではなく他の構成要素をさらに包含することができることを意味する。
【００１３】
そして、本発明において壁電荷とは、セルの壁（例えば、誘電体層）上で各電極の近くに形成される電荷のことをいう。そして、壁電荷は、実際には電極そのものに接触しないが、ここでは電極に"形成される"、"蓄積される"と説明する。また、壁電圧は、壁電荷によってセルの壁に形成される電位差のことをいう。
【００１４】
本発明の一実施形態に係るプラズマ表示装置について、図１を参照しながら詳しく説明する。
【００１５】
図１は本発明の一実施形態に係るプラズマ表示装置の構成を示すブロック図である。
【００１６】
図１に示したように、本発明の一実施形態に係るプラズマ表示装置は、プラズマ表示パネル１００、制御部２００、アドレス電極駆動部３００、走査電極駆動部４００及び維持電極駆動部５００を含んでいる。
【００１７】
プラズマ表示パネル１００は、列方向に延びている複数のアドレス電極（以下、"Ａ電極"：Ａ１―Ａｍという）と、行方向に互いに対を成して延びている複数の維持電極（以下、"Ｘ電極"：Ｘ１〜Ｘｎという）及び走査電極（以下、"Ｙ電極"：Ｙ１〜Ｙｎという）とを含んでいる。通常、Ｘ電極（Ｘ１〜Ｘｎ）は、各Ｙ電極（Ｙ１〜Ｙｎ）に対応して形成されており、Ｘ電極（Ｘ１〜Ｘｎ）とＹ電極（Ｙ１〜Ｙｎ）が維持期間において画像を表示するための表示動作を行う。そして、Ｙ電極（Ｙ１〜Ｙｎ）とＸ電極（Ｘ１〜Ｘｎ）は、それぞれＡ電極（Ａ１〜Ａｍ）と直交するように配置されている。そして、Ａ電極（Ａ１〜Ａｍ）とＸ電極及びＹ電極（Ｘ１〜Ｘｎ、Ｙ１〜Ｙｎ）との交差部に当たる放電空間が、セル１２を形成している。
【００１８】
このようなプラズマ表示パネル１００の構造は一例であり、以下に説明する駆動波形を適用可能であれば他の構造のパネルも本発明に適用することができる。
【００１９】
制御部２００は、外部から映像信号を受信して、Ａ電極駆動制御信号、Ｘ電極駆動制御信号及びＹ電極駆動制御信号を出力する。そして、制御部２００は１フレームを複数のサブフィールドに分割して駆動し、各サブフィールドは時間的な動作変化で表現すれば、リセット期間、アドレス期間及び維持期間から構成されている。
【００２０】
アドレス電極駆動部３００は、制御部２００からＡ電極駆動制御信号を受信して、表示しようとする放電セルを選択するための表示データ信号を各Ａ電極に印加する。
【００２１】
走査電極駆動部４００は、制御部２００からＹ電極駆動制御信号を受信してＹ電極に駆動電圧を印加する。
【００２２】
維持電極駆動部５００は、制御部２００からＸ電極駆動制御信号を受信してＸ電極に駆動電圧を印加する。
【００２３】
図２は、本発明の一実施形態に係るプラズマ表示装置の駆動波形を示した図面である。以下、便宜上一つのセルを形成するＹ電極、Ｘ電極及びＡ電極に印加される駆動波形についてのみ説明する。
【００２４】
図２に示したように、リセット期間の上昇期間ではＸ電極を基準電圧（図２では０Ｖ）に維持した状態でＹ電極の電圧をＶｓ電圧からＶｓｅｔ電圧まで漸進的に増加させる。図２ではＹ電極の電圧がランプ状に増加することを示した。これにより、Ｙ電極の電圧が増加する間に、Ｙ電極とＸ電極の間及びＹ電極とＡ電極の間で微弱な放電（以下、"弱放電"という）が起こり、Ｙ電極には（−）壁電荷が形成され、Ｘ電極及びＡ電極には（＋）壁電荷が形成される。
【００２５】
次に、リセット期間の下降期間では、Ｘ電極にＶｅ電圧を印加した状態でＹ電極の電圧をＶｓ電圧からＶｎｆ電圧まで漸進的に減少させる。これにより、Ｙ電極の電圧が減少する間に、Ｙ電極とＸ電極の間及びＹ電極とＡ電極の間で弱放電が起こり、Ｙ電極に形成された（−）壁電荷とＸ電極及びＡ電極に形成された（＋）壁電荷が消去され、放電セルが初期化される。通常、（Ｖｎｆ−Ｖｅ）電圧の大きさはＹ電極とＸ電極の間の放電開始電圧に近く設定される。そうすると、Ｙ電極とＸ電極の間の壁電圧が大体０Ｖになり、アドレス期間にアドレス放電を起こしていないセルが維持期間で誤放電することを防止できる。
【００２６】
次に、アドレス期間には、発光する放電セルを選択するために、Ｘ電極にＶｅ電圧が印加された状態で、複数のＹ電極に順次ＶｓｃＬ電圧を有する走査パルスを印加する。このＶｓｃＬ電圧を走査電圧ともいう。この時、ＶｓｃＬ電圧が印加されたＹ電極とＸ電極とによって形成される複数の放電セルの中で点灯するセルを通過するＡ電極にＶａ電圧を印加する。これにより、Ｖａ電圧が印加されたＡ電極とＶｓｃＬ電圧が印加されたＹ電極との間及びＶｓｃＬ電圧が印加されたＹ電極とＶｅ電圧が印加されたＸ電極との間でアドレス放電が起き、Ｙ電極に（＋）壁電荷、Ａ電極及びＸ電極にそれぞれ（−）壁電荷が形成される。ここで、ＶｓｃＬ電圧はＶｎｆ電圧と同一または低いレベルに設定される。そして、ＶｓｃＬ電圧が印加されていないＹ電極にはＶｓｃＬ電圧より高いＶｓｃＨ電圧が印加され、選択されていない放電セルのＡ電極には基準電圧が印加されている。
【００２７】
一方、アドレス期間において、このような動作を行うために、走査電極駆動部４００は、Ｙ電極（Ｙ１〜Ｙｎ）の中でＶｓｃＬ電圧の走査パルスが印加されるＹ電極を選択する。例えば、シングル駆動では垂直方向に配列された順にＹ電極を選択していくことが可能である。そして、一つのＹ電極が選択されると、アドレス電極駆動部３００は、当該Ｙ電極によって形成される放電セルの中で点灯する放電セルを選択する。即ち、アドレス電極駆動部３００は、Ａ電極（Ａ１〜Ａｍ）の中でＶａ電圧のアドレスパルスを印加するセルを選択する。
【００２８】
次に、維持期間では、Ｙ電極とＸ電極に対してハイレベル電圧（図２においてはＶｓ電圧）とローレベル電圧（図２においては０Ｖ）を有する維持放電パルスが逆位相で印加され、点灯する放電セルのＹ電極とＸ電極との間で維持放電が起こる。その後、Ｙ電極とＸ電極に維持放電パルスを印加する過程を当該サブフィールドが表示する加重値に対応した回数だけ繰り返し行う。
【００２９】
図３は本発明の第１実施形態に係る走査電極駆動部４００の駆動回路を示した図面である。
【００３０】
図３に示したように、走査電極駆動部４００の駆動回路は、維持駆動部４１０、リセット駆動部４２０、走査駆動部４３０、トランジスター（Ｙｎｐ）、ゲートドライバー４４０、抵抗（Ｒ１）、キャパシタ（Ｃ１）、ダイオード（Ｄ１）及びキャパシタ（Ｃ４）を含んでいる。
【００３１】
ここで、維持駆動部４１０は、トランジスター（Ｙｓ、Ｙｇ）を含んでおり、維持期間においてＹ電極にＶｓ電圧と０Ｖ電圧を有する維持放電パルスを印加する。Ｖｓ電圧を供給する電源（Ｖｓ）にドレインが連結されたトランジスター（Ｙｓ）のソースがパネルキャパシタ（Ｃｐ）のＹ電極に連結されており、０Ｖ電圧を供給する接地端（０）にソースが連結されたトランジスター（Ｙｇ）のドレインがパネルキャパシタ（Ｃｐ）のＹ電極に連結されている。
【００３２】
リセット駆動部４２０は、トランジスター（Ｙｒｒ、Ｙｆｒ）、ツェナーダイオード（ＺＤ）及びダイオード（Ｄｓｅｔ）を含んでおり、リセット期間の上昇期間においてＹ電極の電圧をＶｓ電圧からＶｓｅｔ電圧まで漸進的に増加させ、リセット期間の下降期間においてＹ電極の電圧をＶｓ電圧からＶｎｆ電圧まで漸進的に減少させる。Ｖｓｅｔ電圧を供給する電源（Ｖｓｅｔ）にドレインが連結されたトランジスター（Ｙｒｒ）のソースがパネルキャパシタ（Ｃｐ）のＹ電極に連結されており、トランジスター（Ｙｒｒ）のボディダイオードによる電流を遮断するために、トランジスター（Ｙｒｒ）のボディダイオードと反対方向にダイオード（Ｄｓｅｔ）が形成されている。そして、トランジスター（Ｙｆｒ）は、ＶｓｃＬ電圧を供給する電源（ＶｓｃＬ）とパネルキャパシタ（Ｃｐ）のＹ電極との間に連結されている。ここで、図２の駆動波形においてＶｎｆ電圧がＶｓｃＬ電圧より高く形成されているため、トランジスター（Ｙｆｒ）のドレインにツェナーダイオード（ＺＤ）のアノードが連結されており、Ｙ電極にツェナーダイオード（ＺＤ）のカソードが連結されている。これにより、Ｖｎｆ電圧はＶｓｃＬ電圧よりツェナー降伏電圧だけ高い電圧と仮定した。
【００３３】
走査駆動部４３０は、走査回路４３１、ダイオード（ＤｓｃＨ、Ｄ２）、キャパシタ（ＣｓｃＨ、Ｃ２、Ｃ３）、トランジスター（ＹｓｃＬ）及びレギュレーター（４３２）を含んでいる。
【００３４】
走査回路４３１は、第１入力端と第２入力端を有し、出力端がＹ電極に連結されており、アドレス期間において点灯するセルを選択するために第１入力端の電圧と第２入力端の電圧とを対応するＹ電極に選択的に印加する。図３では一つのＹ電極に連結されている一つの走査回路４３１のみを示したが、複数のＹ電極（Ｙ１〜Ｙｎ）にそれぞれ連結されている複数の走査回路４３１が存在している。そして、一定数の走査回路が一つの走査集積回路に形成され、この走査集積回路からの複数の出力端が一定数のＹ電極にそれぞれ連結されるように形成することも可能である。この時、走査集積回路には、一定数の走査回路以外に走査回路に順次制御信号を出力するためのシフトレジスター（図示せず）等も形成されている。
【００３５】
走査回路４３１は、トランジスター（Ｓｃｈ、Ｓｃｌ）を含んでいる。トランジスター（Ｓｃｈ）のソースとトランジスター（Ｓｃｌ）のドレインはそれぞれパネルキャパシタ（Ｃｐ）のＹ電極に連結されている。また、ＶｓｃＨ電圧を供給する電源（ＶｓｃＨ）にダイオード（ＤｓｃＨ）のアノードが連結されており、走査回路４３１の第１入力端にダイオード（ＤｓｃＨ）のカソードが連結されている。ダイオード（ＤｓｃＨ）のカソードにキャパシタ（ＣｓｃＨ）の第１端が連結されており、走査回路４３１の第２入力端にキャパシタ（ＣｓｃＨ）の第２端が連結されている。そして、トランジスター（ＹｓｃＬ）が導通すると、キャパシタ（ＣｓｃＨ）には（ＶｓｃＨ−ＶｓｃＬ）電圧が充電される。また、トランジスター（ＹｓｃＬ）は電源（ＶｓｃＬ）と走査回路４３１の第２入力端との間に連結されている。このような走査回路４３１では、トランジスター（ＹｓｃＬ）のソースが基準電源となる。即ち、トランジスター（ＹｓｃＬ）のソース電圧を基準電圧として走査回路４３１の他の電圧が決定される。
【００３６】
そして、走査回路４３１のトランジスター（Ｓｃｌ、Ｓｃｈ）のゲートに制御信号を供給するためには、シフトレジスター等によって制御信号を生成するための駆動電圧が必要である。そこで、走査回路４３１に駆動電圧を供給するために、電源（ＶＣＣＦ）と走査回路４３１との間にレギュレーター４３２が連結されている。レギュレーター４３２は、入力端、基準電圧端及び出力端を有し、入力端から入力される電圧を走査回路４３１の駆動電圧であるＶＤＤ電圧に変更して、出力端を通じて走査回路４３１に出力する。そして、レギュレーター４３２の入力端と電源（ＶＣＣＦ）にキャパシタ（Ｃ２）の第１端が連結されており、レギュレーター４３２の基準電圧端が走査回路４３１の第２入力端に連結されている。ここで、キャパシタ（Ｃ２、Ｃ３）の電圧は走査回路４３１の電圧を生成するために用いられているので、キャパシタ（Ｃ２、Ｃ３）の第２端が走査回路４３１の基準電源、即ちトランジスター（ＹｓｃＬ）のソースに連結されている。そして、電源（ＶＣＣＦ）にダイオード（Ｄ２）のアノードが連結され、キャパシタ（Ｃ２）の第１端にダイオード（Ｄ２）のカソードが連結されており、電源（ＶＣＣＦ）にキャパシタ（Ｃ４）の第１端が連結され、電源（ＶｓｃＬ）にキャパシタ（Ｃ４）の第２端が連結されている。したがって、ダイオード（Ｄ２）は、トランジスター（ＹｓｃＬ）が導通する際に、キャパシタ（Ｃ２）を（ＶＣＣＦ−ＶｓｃＬ）電圧で充電する充電経路（Ｆ２）を形成するために設置されており、ダイオード（Ｄ２）の代わりに充電経路を形成することができる他の素子（例えば、トランジスター）を用いることも可能である。この時、レギュレーター４３２が、キャパシタ（Ｃ２）の第１端の電圧を変更して出力したＶＤＤ電圧をキャパシタ（Ｃ３）に充電する。そして、電圧（ＶＣＣＦ−ＶｓｃＬ）が駆動電圧（ＶＤＤ）と同一である場合には、レギュレーター４３２及びキャパシタ（Ｃ３）を除去することができる。
【００３７】
トランジスター（Ｙｎｐ）は、トランジスター（ＹｓｃＬ）が導通する時に、接地端（０）、トランジスター（Ｙｇ）のボディダイオード、トランジスター（ＹｓｃＬ）及び電源（ＶｓｃＬ）で形成される電流経路を遮断するために設置されており、ドレインがトランジスター（Ｙｇ）のドレインに連結され、ソースがトランジスター（ＹｓｃＬ）のドレインに連結されている。
【００３８】
このようなトランジスター（Ｙｎｐ）を駆動するために、トランジスター（Ｙｎｐ）のゲートとソースとの間にゲートドライバー４４０が連結されている。ゲートドライバー４４０は、出力端（ＯＵＴ）、高電圧端（ＶＣＣ）及び低電圧端（ＶＥＥ）を含んでおり、高電圧端（ＶＣＣ）の電圧または低電圧端（ＶＥＥ）の電圧を出力端（ＯＵＴ）を通じてトランジスター（Ｙｎｐ）のゲートに印加する。この時、トランジスター（Ｙｎｐ）は、ドレイン電圧とソース電圧の差が（ＶＣＣＦ−ＶｓｃＬ）電圧以上になると、導通する。このような動作のために、ゲートドライバー４４０の高電圧端（ＶＣＣ）にキャパシタ（Ｃ１）の一端が連結されており、ゲートドライバー４４０の低電圧端（ＶＥＥ）にキャパシタ（Ｃ１）の他端が連結されている。そして、キャパシタ（Ｃ１）の一端はＶＣＣＦ電圧を供給する電源（ＶＣＣＦ）と連結されており、キャパシタ（Ｃ１）の他端はトランジスター（Ｙｎｐ）のソースに連結されている。また、電源（ＶＣＣＦ）にダイオード（Ｄ１）のアノードが連結され、キャパシタ（Ｃ１）の一端にダイオード（Ｄ１）のカソードが連結されている。ダイオード（Ｄ１）は、トランジスター（ＹｓｃＬ）が導通する時に、キャパシタ（Ｃ１）を（ＶＣＣＦ−ＶｓｃＬ）電圧に充電する充電経路（Ｆ１）を形成するために設置されており、ダイオード（Ｄ１）の代わりに充電経路を形成することができる他の素子（例えば、トランジスター）を用いることもできる。そして、ゲートドライバー４４０の出力端（ＯＵＴ）とトランジスター（Ｙｎｐ）のゲートとの間に抵抗（Ｒ１）が連結されている。
【００３９】
即ち、キャパシタ（Ｃ１）には、（ＶＣＣＦ−ＶｓｃＬ）電圧が充電されているので、高電圧端（ＶＣＣ）の電圧は常に低電圧端（ＶＥＥ）の電圧より（ＶＣＣＦ−ＶｓｃＬ）電圧だけ高くなっている。したがって、トランジスター（Ｙｎｐ）のゲートに高電圧端（ＶＣＣ）の電圧が印加されるとトランジスター（Ｙｎｐ）が導通し、トランジスター（Ｙｎｐ）のゲートに低電圧端（ＶＥＥ）の電圧が印加されるとトランジスター（Ｙｎｐ）は遮断される。
【００４０】
一方、図３の駆動回路を見ると、トランジスター（Ｙｎｐ）及び走査回路４３１を駆動するための駆動電圧をそれぞれ供給するためには、キャパシタ（Ｃ１、Ｃ２）及びダイオード（Ｄ１、Ｄ２）が必要である。しかし、本発明の第１実施形態に係る駆動回路とは異なり、一つのキャパシタ（Ｃ１）及びダイオード（Ｄ１）だけを用いて、トランジスター（Ｙｎｐ）及び走査回路４３１を全て駆動することができる。
【００４１】
以下、このような実施形態について、図４を参照しながら詳しく説明する。
【００４２】
図４は本発明の第２実施形態に係る走査電極駆動部４００の駆動回路の構成を示した回路図である。
【００４３】
図４に示したように、本発明の第２実施形態に係る走査電極駆動部４００の駆動回路では、レギュレーター４３２の入力端がキャパシタ（Ｃ１）の第１端に連結され、レギュレーター４３２の基準電圧端がキャパシタ（Ｃ１）の第２端に連結されている。このような構成にしてもキャパシタ（Ｃ１）に充電された（ＶＣＣＦ−ＶｓｃＬ）電圧はレギュレーター４３２の入力端に入力されるので、キャパシタ（Ｃ２）及びダイオード（Ｄ２）を除去することができる。これにより、第１実施形態に係る駆動回路よりも回路素子がさらに簡単になり、回路単価を低減することができる。
【００４４】
そして、第２実施形態においても、走査回路４３１の駆動電圧（ＶＤＤ）が（ＶＣＣＦ−ＶｓｃＬ）電圧と同一であれば、レギュレーター４３２とキャパシタ（Ｃ３）を除去することができる。即ち、キャパシタ（Ｃ１）の第１端電圧が走査回路４３１の駆動電圧（ＶＤＤ）として印加される。
【００４５】
以上、本発明の実施形態について詳しく説明したが、本発明の権利範囲はこれに限定されるものではなく、特許請求の範囲において定義されている本発明の基本概念を利用した当業者によるさまざまな変形及び改良形態についても本発明の権利範囲に属するものである。
【図面の簡単な説明】
【００４６】
【図１】本発明の一実施形態に係るプラズマ表示装置の構成を示すブロック図である。
【図２】本発明の一実施形態に係るプラズマ表示装置の駆動波形を示した図面である。
【図３】本発明の第１実施形態に係る走査電極駆動部の駆動回路の構成を示した回路図である。
【図４】本発明の第２実施形態に係る走査電極駆動部の駆動回路の構成を示した回路図である。
【符号の説明】
【００４７】
１００  プラズマ表示パネル
２００  制御部
３００  アドレス電極駆動部
４００  走査電極駆動部
５００  維持電極駆動部
４１０  維持駆動部
４２０  リセット駆動部
４３０  走査駆動部
４３１  走査回路
４３２  レギュレーター
４４０  ゲートドライバー
【図１】
2007264632.tif 000003
【図２】
2007264632.tif 000004
【図３】
2007264632.tif 000005
【図４】
2007264632.tif 000006